(57)【要約】【解決手段】仮設建屋Ｈを構成する前枠５の相対する上部隅部に、上部軸受部５ｄを、それぞれ形成するとともに、相対する下部隅部に、下部軸受部５ｅを、それぞれ形成し、また、扉部６の一方の上部角部に、上部軸部６ｅを形成するとともに、上部角部の真下に位置する下部角部に、下部軸部６ｇを形成したものである。【効果】扉部を、反時計方向開き或いは時計方向開きに、適宜、変更することができるので、従って、仮設建屋の設置場所の自由度が増加することになる。【選択図】図３
2006257793.tif 000002
【特許請求の範囲】
【請求項１】
前枠の相対する上部隅部に、上部軸受部が、それぞれ形成されているとともに、相対する下部隅部に、下部軸受部が、それぞれ形成されており、また、扉部の一方の上部角部に、上部軸部が形成されているとともに、前記上部角部の真下に位置する下部角部に、下部軸部が形成されていることを特徴とする仮設建屋。
【発明の詳細な説明】
【技術分野】
【０００１】
本発明は、建築現場や運動場や海水浴場等の屋外において使用される仮設トイレ等の仮設建屋に関するものである。
【背景技術】
【０００２】
従来、屋根部と奥壁と相対する側壁と床部と前枠と該前枠に取り付けられた扉部とからなる仮設トイレ等の仮設建屋が、一例として、特許文献１に記載されている。
【０００３】
【特許文献１】特許第２６５６４２５号公報
【発明の開示】
【発明が解決しようとする課題】
【０００４】
上述した仮設建屋の扉部は、閉鎖された状態から、仮設建屋を平面的に見て、反時計方向或いは時計方向の何れか一方に回動することにより、扉部を開けるように設定されているために、仮設建屋の設置場所が限定されるという問題があった。
【０００５】
また、ブロー成形等により一体成形された扉部の表部（扉部を閉じた際に、仮設トイレの外側に位置する面）のみが、常に、仮設建屋の外側に位置するために、扉部の模様を変える場合には、新たに、扉部を成形し直さなければならず、従って、仮設建屋の汎用性が損なわれるとともに、仮設建屋の製造コストが上昇するという問題があった。
【０００６】
本発明の目的は、上述した従来の仮設建屋が有する課題を解決することにある。
【課題を解決するための手段】
【０００７】
本発明は、上述した目的を達成するために、仮設建屋を構成する前枠の相対する上部隅部に、上部軸受部を、それぞれ形成するとともに、相対する下部隅部に、下部軸受部を、それぞれ形成し、また、扉部の一方の上部角部に、上部軸部を形成するとともに、上部角部の真下に位置する下部角部に、下部軸部を形成したものである。
【発明の効果】
【０００８】
前枠の相対する上部隅部に、上部軸受部を、それぞれ形成するとともに、相対する下部隅部に、下部軸受部を、それぞれ形成し、また、扉部の一方の上部角部に、上部軸部を形成するとともに、上部角部の真下に位置する下部角部に、下部軸部を形成したので、扉部を、反時計方向開き或いは時計方向開きに、適宜、変更することができるので、従って、仮設建屋の設置場所の自由度が増加することになる。
【０００９】
また、前枠の相対する上部隅部に、上部軸受部を、それぞれ形成するとともに、相対する下部隅部に、下部軸受部を、それぞれ形成し、また、扉部の一方の上部角部に、上部軸部を形成するとともに、上部角部の真下に位置する下部角部に、下部軸部を形成したので、扉部の表面を、適宜、変更することができるので、仮設建屋の外観の自由度が増加することになる。
【００１０】
更に、前枠の相対する上部隅部に、上部軸受部を、それぞれ形成するとともに、相対する下部隅部に、下部軸受部を、それぞれ形成し、また、扉部の一方の上部角部に、上部軸部を形成するとともに、上部角部の真下に位置する下部角部に、下部軸部を形成したので、扉部の表面を、適宜、変更することができるので、扉部の開き方向及び扉部の表面を、適宜、変更することができる。
【実施例】
【００１１】
以下に、本発明の実施例について説明するが、本発明の趣旨を越えない限り、何ら、本実施例に限定されるものではない。
【００１２】
Ｈは、一例として、仮設トイレとしての仮設建屋であり、仮設建屋Ｈは、屋根部１と奥壁２と相対する側壁３と床部４と前枠５と該前枠５に取り付けられた扉部６とから構成されている。Ｅは、汚物を貯留するための便槽部材であり、便槽部材Ｅの上面には、仮設建屋Ｈが載置されるように構成されている。
【００１３】
前枠５は、所定の間隔を置いて配置された側部支柱部５ａと、側部支柱部５ａの下端部を連結する下部連結梁部５ｂと、側部支柱部５ａの上端部を連結する上部連結梁部５ｃとを有している。
【００１４】
前枠５を構成する相対する一対の側部支柱部５ａと上部連結梁部５ｃとにより形成される相対する上部隅部には、下方に挿入開口５ｄ１を有する筒状の上部軸受部５ｄが、それぞれ形成されており、また、相対する一対の側部支柱部５ａと下部連結梁部５ｂとにより形成される相対する下部隅部には、上方に挿入開口５ｅ１を有する筒状の下部軸受部５ｅが、それぞれ形成されている。このように、上部連結梁部５ｃの両端部付近には、一対の上部軸受部５ｄが形成されており、また、下部連結梁部５ｂの両端部付近にも、上部軸受部５ｄと同様の一対の下部軸受部５ｅが形成されている。
【００１５】
前枠５には、相対する一対の側部支柱部５ａと下部連結梁部５ｂと上部連結梁部５ｃにより、後述する扉部６により閉鎖される略縦長の長方形状の開口部Ａ１が形成されている。開口部Ａ１の周縁には、側部支柱部５ａ、下部連結梁部５ｂ及び上部連結梁部５ｃの奥壁を延在することにより、略額縁状の扉部当接枠５ｆが形成されている。
【００１６】
扉部６は、相対する垂直辺６ａと上端辺６ｂと下端辺ｃとを有する略縦長の長方形状に形成されている。また、扉部６の相対する垂直辺６ａの一方の垂直辺６ａと上端辺６ｂとにより形成される上部角部には、上端辺６ｂから、上記の一方の垂直辺６ａに沿って、切欠き凹部６ｄを形成することにより、上述した上部軸受部５ｄの挿入開口５ｄ１に挿入可能な上部軸部６ｅが形成されており、更に、上記の一方の垂直辺６ａと下端辺ｃとにより形成される、上部角部の真下に位置する下部角部には、下端辺ｃから、上記の一方の垂直辺６ａに沿って、切欠き凹部６ｆを形成することにより、上述した下部軸受部５ｅの挿入開口５ｅ１に挿入可能な下部軸部６ｇが形成されている。
【００１７】
仮設建屋Ｈを構成する前枠５に形成された一対の上部軸受部５ｄのうちの一方の上部軸受部５ｄの挿入開口５ｄ１（図３において、右側に位置する上部軸受部５ｄ）に、扉部６に形成された上部軸部６ｅを挿入するとともに、上記の上部軸受部５ｄの挿入開口５ｄ１の真下に位置する下部軸受部５ｅの挿入開口５ｅ１（図３において、同じく、右側に位置する上部軸受部５ｄ）に、扉部６に形成された下部軸部６ｇを挿入することにより、仮設建屋Ｈを構成する前枠５に、扉部６を取り付けるとができるように構成されている。このように、仮設建屋Ｈを構成する前枠５に、扉部６を取り付けることにより、扉部６を、閉じられた状態から、平面的に見て、反時計方向に回動することにより、扉部６が開けられるように構成されている。以下、扉部６のこのような開きを、反時計方向開きと称することとする。
【００１８】
また、仮設建屋Ｈを構成する前枠５に形成された一対の上部軸受部５ｄのうちのもう一方の上部軸受部５ｄの挿入開口５ｄ１（図３において、左側に位置する上部軸受部５ｄ）に、扉部６に形成された上部軸部６ｅを挿入するとともに、上記の上部軸受部５ｄの挿入開口５ｄ１の真下に位置する下部軸受部５ｅの挿入開口５ｅ１（図３において、同じく、左側に位置する下部軸受部５ｅ）に、扉部６に形成された下部軸部６ｇを挿入することにより、仮設建屋Ｈを構成する前枠５に、扉部６を取り付けるとができるように構成されている。このように、仮設建屋Ｈを構成する前枠５に、扉部６を取り付けることにより、扉部６を、閉じられた状態から、平面的に見て、時計方向に回動することにより、扉部６が開けられるように構成されている。以下、扉部６のこのような開きを、時計方向開きと称することとする。
【００１９】
図３に示されているように、扉部６が、閉じられた状態から、平面的に見て、反時計方向に回動するように、前枠５に取り付けられた状態から、扉部６を、扉部６の一方の面６’に垂直な中心軸を中心に、１８０度回転させて、図３において、右上に位置する上部軸部６ｅを、図４に示されているように、扉部６の左下に位置させるとともに、図３において、右下に位置する下部軸部６ｇを、図４に示されているように、扉部６の左上に位置させ、その後、上記の左上に位置する下部軸部６ｇを、仮設建屋Ｈを構成する前枠５に形成された一対の上部軸受部５ｄのうちの左側に位置する上部軸受部５ｄの挿入開口５ｄ１に挿入し、また、上記の左下に位置する上部軸部６ｅを、仮設建屋Ｈを構成する前枠５に形成された一対の下部軸受部５ｅのうちの左側に位置する下部軸受部５ｅの挿入開口５ｅ１に挿入することにより、閉じた状態の扉部６の表面を変えることなく、扉部６を、反時計方向開きから、時計方向開きに変更することができる。
【００２０】
また、図３に示されているように、扉部６が、閉じられた状態から、平面的に見て、反時計方向に回動するように、前枠５に取り付けられた状態から、扉部６を、扉部６の表面６’に沿った水平軸Ｘを中心に、１８０度回転させて、図３において、右上に位置する上部軸部６ｅを、図５に示されているように、扉部６の右下に位置させるとともに、図３において、右下に位置する下部軸部６ｇを、図５に示されているように、扉部６の右上に位置させ、その後、上記の右上に位置する下部軸部６ｇを、仮設建屋Ｈを構成する前枠５に形成された一対の上部軸受部５ｄのうちの右側に位置する上部軸受部５ｄの挿入開口５ｄ１に挿入し、また、上記の右下に位置する上部軸部６ｅを、仮設建屋Ｈを構成する前枠５に形成された一対の下部軸受部５ｅのうちの右側に位置する下部軸受部５ｅの挿入開口５ｅ１に挿入することにより、反時計方向開きを変更することなく、扉部６の表面を変えることができる。
【００２１】
更に、図３に示されているように、扉部６が、閉じられた状態から、平面的に見て、反時計方向に回動するように、前枠５に取り付けられた状態から、扉部６を、扉部６の表面６’に沿った垂直軸Ｙを中心に、１８０度回転させて、図３において、右上に位置する上部軸部６ｅを、図６に示されているように、扉部６の左上に位置させるとともに、図３において、右下に位置する下部軸部６ｇを、図６に示されているように、扉部６の左下に位置させ、その後、上記の左上に位置する上部軸部６ｅを、仮設建屋Ｈを構成する前枠５に形成された一対の上部軸受部５ｄのうちの左側に位置する上部軸受部５ｄの挿入開口５ｄ１に挿入し、また、上記の左下に位置する下部軸部６ｇを、仮設建屋Ｈを構成する前枠５に形成された一対の下部軸受部５ｅのうちの左側に位置する下部軸受部５ｅの挿入開口５ｅ１に挿入することにより、反時計方向開きを、時計方向開きを変更するとともに、扉部６の表面を変えることができる。
【００２２】
上述したように、仮設建屋Ｈを構成する前枠５の相対する上部隅部に、上部軸受部５ｄを、それぞれ形成するとともに、相対する下部隅部に、下部軸受部５ｅを、それぞれ形成し、また、扉部６の一方の上部角部に、上部軸部６ｅを形成するとともに、扉部６の上部角部の真下に位置する下部角部に、下部軸部６ｇを形成することにより、扉部６を、反時計方向開き或いは時計方向開きに、適宜、変更することができるので、従って、仮設建屋Ｈの設置場所の自由度が増加することになる。
【００２３】
仮設建屋Ｈを構成する前枠５の相対する上部隅部に、上部軸受部５ｄを、それぞれ形成するとともに、相対する下部隅部に、下部軸受部５ｅを、それぞれ形成し、また、扉部６の一方の上部角部に、上部軸部６ｅを形成するとともに、扉部６の下部角部に、下部軸部６ｇを形成することにより、扉部６の表面を、適宜、変更することができるので、従って、仮設建屋Ｈの外観の自由度が増加することになる。
【００２４】
上述したように、仮設建屋Ｈを構成する前枠５の相対する上部隅部に、上部軸受部５ｄを、それぞれ形成するとともに、相対する下部隅部に、下部軸受部５ｅを、それぞれ形成し、また、扉部６の一方の上部角部に、上部軸部６ｅを形成するとともに、扉部６の下部角部に、下部軸部６ｇを形成することにより、扉部６の開き方向及び扉部６の表面を、適宜、変更することができる。
【図面の簡単な説明】
【００２５】
【図１】図１は、本発明の仮設建屋等の全体斜視図である。
【図２】図２は、本発明の仮設建屋を構成する前枠の一部切除部を含む斜視図である。
【図３】図３は、本発明の仮設建屋を構成する前枠及び扉部の斜視図である。
【図４】図４は、図３と同様の本発明の仮設建屋を構成する前枠及び扉部の斜視図である。
【図５】図５は、図３と同様の本発明の仮設建屋を構成する前枠及び扉部の斜視図である。
【図６】図６は、図３と同様の本発明の仮設建屋を構成する前枠及び扉部の斜視図である。
【符号の説明】
【００２６】
Ｈ・・・・・・・・・・・・・・仮設建屋
５・・・・・・・・・・・・・・前枠
５ｄ・・・・・・・・・・・・・上部軸受部
５ｅ・・・・・・・・・・・・・下部軸受部
６・・・・・・・・・・・・・・扉部
６ｅ・・・・・・・・・・・・・上部軸部
６ｇ・・・・・・・・・・・・・下部軸部
【図１】
2006257793.tif 000003
【図２】
2006257793.tif 000004
【図３】
2006257793.tif 000005
【図４】
2006257793.tif 000006
【図５】
2006257793.tif 000007
【図６】
2006257793.tif 000008